(57)【要約】  櫛とフィルタとを有する真空掃除機マウスピースであってアタマジラミ及び他の害虫を駆除すると共にフケを除去する方法で使用される真空掃除機マウスピースは、マウスピースの開口部の上部に配置されると共に開口部の比較的小さな部分を覆う容易に脱着可能な櫛の付いたマウスピースを利用することによって、頭皮上のシラミ及び害虫の生息範囲内の効率的、集中的な短い間隔の梳毛を提供する。マウスピースは可撓性の接続部を備えており、長い毛髪も、マウスピース内の吸引気流内と恐らくは真空掃除機の接続チューブの中で、十分緊密、弾性かつ広がって浮遊しうる。櫛の歯先の縁端の下では、開口部は後方及び下向きに延びるので、櫛を毛髪内に傾斜させてもよく、梳毛の際に吸引作用全体が歯の間の隙間に集中する。開口部の傾斜した部分の後方の両側には、梳毛支持体が提供されるが、これは同時に傾斜軸でもある。マウスピースと接続チューブとの間の接続部内には容易に脱着可能なフィルタが取り付けられる。
2005512749.tif 000002
【特許請求の範囲】
【請求項１】
開口部（１０８）を有するマウスピース（１、２１、３１、１０２）を使用して毛髪（７）及び毛皮における不要発生物を除去する方法であって、前記マウスピースがチューブを通じて真空発生源（６）に接続されてフィルタと少なくとも一つの櫛（２、２２、３２、６２、１０４）とを含む方法において、
前記マウスピース（１、２１、３１、１０２）が長手方向の傾斜した開口部（１０８）を有し、前記櫛（２、２２、３２、６２、１０４）が前記開口部（１０８）の最前部に固定されて前記マウスピースの長手軸線に対して急峻な角度を有し、前記櫛（２、２２、３２、６２、１０４）が前記マウスピースの前記開口部（１０８）の小さな部分を覆い、毛髪の束を前記開口部（１０８）内に吸い込み、それによって前記毛髪の束が前記マウスピース（１、２１、３１、１０２）内で宙吊りになって延び、毛髪の成長する頭皮または皮膚に前記櫛（２、２２、３２、６２、１０４）の歯先の縁端が接触するように前記櫛（２、２２、３２、６２、１０４）を前記毛髪の束（７）側に傾斜させ、歯の縁端を前記頭皮または皮膚に接触させて前記毛髪の束を通じて前記櫛（２、２２、３２、６２、１０４）を引っ張ることによって前記毛髪の束（７）を梳き、その後前記櫛（２、２２、３２、６２、１０４）を前記毛髪の束（７）から離れるように傾斜させ、前記毛髪の束（７）について上記のステップを含む処理を繰り返し、不要発生物を取り除いて前記マウスピース（２、２２、３２、６２、１０４）を通じて吸引し、その後前記マウスピース（２、２２、３２、６２、１０４）内の前記フィルタ（４８、７８、１３０）によって捕えることを特徴とする方法。
【請求項２】
前記ステップを異なる毛髪の束（７）について繰り返すことを特徴とする請求項１に記載の方法。
【請求項３】
前記櫛（２、２２、３２、６２、１０４）を短いストロークで梳くのと同時に前記束に近付けたり離したりして自由に傾斜させ、各梳毛運動の際にシラミ及び害虫の生息範囲を通して前記頭皮の上で歯先の縁端を引っ張り、前記頭皮の同じ範囲を短い間隔で梳くことを特徴とする請求項１または２に記載の方法。
【請求項４】
毛髪及び毛皮における不要発生物を除去する装置であって、真空発生源（６）に取り付けられたチューブの一端に係合するのに適合したマウスピース（１、２１、３１、１０２）を有し、該マウスピースが開口部とそれに取り付けられた少なくとも一つの櫛（２、２２、３２、６２、１０４）とを有する装置において
前記マウスピース（１、２１、３１、１０２）がほぼ細長い形状を有し、前記マウスピース（１、２１、３１、１０２）の開口部が長手方向に傾斜して配置されて前記マウスピース（１、２１、３１、１０２）の長手軸線に対する第一の角度を形成し、前記櫛（２、２２、３２、６２、１０４）が前記マウスピース（１、２１、３１、１０２）の長手軸線に対する第二の角度を形成するように配置され、前記櫛（２、２２、３２、６２、１０４）が前記マウスピースの開口部の半分より小さい範囲を覆うことを特徴とする装置。
【請求項５】
縁端にいくつかのスリット（４２）を備えた円錐形状のフィルタ（４８、５１）を有し、該フィルタは、前記フィルタの縁端が前記スリットの長さ分だけ真空接続チューブの縁端に沿って曲げられるように前記真空発生源（６）に接続されたチューブの開口部に配置され、前記マウスピースを装着した時に前記マウスピースの接続チューブによって保持され、かつ接続チューブを分離した時に前記マウスピースの接続チューブ内に視認可能なので先端から容易に脱着可能であることを特徴とする請求項４に記載の装置。
【請求項６】
前記櫛（２、２２、３２、６２、１０４）は前記マウスピース（１、２１、３１、１０２）の開口部（１０８）の一番上に配置されて容易に脱着可能であり、前記櫛が前記開口部の全面積のうち比較的小さな範囲を覆い、前記マウスピースが前記櫛の下に比較的大きく開いた開口部を呈することを特徴とする請求項４または５に記載の装置。
【請求項７】
前記開口部は前方から見てほぼ円形であり、前記櫛（２、２２、３２、６２、１０４）は前記開口部の隣接する縁端に密接に嵌合し且つ当該装置の長手軸線にほぼ垂直な平面に延びることを特徴とする請求項４〜６のいずれか１項に記載の装置。
【請求項８】
前記櫛（２、２２、３２、６２、１０４）が歯先の縁端を呈し、前記マウスピースの長手軸線がほぼ水平方向に延びる時に前記開口部が歯先の縁端から後方向下方に傾斜することを特徴とする請求項４〜７のいずれか１項に記載の装置。
【請求項９】
前記マウスピース（６１）が前記櫛の両側で隆起（６９、７９）を有し、傾斜軸を形成し同時に梳毛支持体を形成することを特徴とする請求項４〜８のいずれか１項に記載の装置。
【請求項１０】
フィルタが当該装置に関連して提供されて容易に脱着可能に取り付けられ、前記フィルタが縁端に沿ったスリットを有する円錐（４１）の形状であることを特徴とする請求項４〜９のいずれか１項に記載の装置。
【請求項１１】
もう一つの他のフィルタに対して上流に配置される更なるフィルタを備え、該更なるフィルタが容易に脱着可能で、円錐形状で、底部に穴を備えることを特徴とする請求項１０に記載の装置。
【請求項１２】
前記フィルタ（１３０）がチューブ（１１６）とパイプ（１２４）との間の移行部に配置され、該移行部はロック解除後に前記フィルタ（１３０）へのアクセスを提供するロック機構（１２２）によって形成され、前記フィルタ（１３０）は、前記パイプ（１２０）の内壁と相互作用し且つフィルタ（１３１）によって形成される底部を有するフィルタ・シリンダ（１３２）によって形成されることを特徴とする請求項４〜１１のいずれか１項に記載の装置。
【請求項１３】
前記フィルタ（１３０）の背後に陰圧が存在する時に該フィルタ（１３０）がカバーによって閉じられ、該カバーが末端部（１４０）とシリンダ（１３８）とを有し、前記カバーのシリンダが前記フィルタのシリンダ（１３２）の内壁と係合することを特徴とする請求項１２に記載の装置。
【請求項１４】
前記末端部が前記フィルタの内容物を見るためのレンズ（１４０）によって形成され、該レンズの焦点は前記カバーのシリンダ（１３８）を幾分押すことによって調整せしめられることを特徴とする請求項１２または１３に記載の装置。
【請求項１５】
前記レンズ（１４０）がフレネルレンズであることを特徴とする請求項１２〜１４のいずれか１項に記載の装置。
【発明の詳細な説明】
【技術分野】
【０００１】
本発明は、毛髪及び毛皮における不要発生物を除去する方法と装置に関するが、この方法は、開口部を有し且つチューブを通じて真空発生源に接続されると共にフィルタと少なくとも一つの櫛とを有するマウスピースの使用を含み、この装置は、真空発生源に取り付けられたチューブの一端に係合するのに適合すると共に開口部と開口部に取り付けられた少なくとも一つの櫛とを有するマウスピースを含む。
【背景技術】
【０００２】
毛髪及び毛皮におけるアタマジラミ及び他の害虫を機械的に駆除する周知の方法は目の細かい櫛で梳くことである。処置する毛髪／毛皮は必要に応じてヘアコンディショナーで湿らせ洗浄する。毛髪／毛皮を徹底的に梳くと、シラミ及び他の害虫が頭皮または皮膚の近くの生息範囲で櫛によって捕えられた後、櫛によって毛髪から除去される。梳毛は通常通りに、すなわち、毛髪の全長にわたって一梳きずつ行う。シラミまたは害虫を捕えて櫛の歯の間に位置する毛髪から除去する場合は、梳毛を続ける前にブラシまたは尖った道具で櫛から除去する。
【０００３】
毛髪及び毛皮におけるシラミ及び他の害虫を駆除する他の周知の技術としては、例えばマラチオンのような毒物を含み且つシラミ及び害虫を殺すことを目的とした様々なシャンプーを使用することが挙げられる。頭髪中のフケを除去する周知の技術としては、例えばニゾラルシャンプーのような様々なフケ取りシャンプーを使用することが挙げられる。
【０００４】
上記と同様の先行技術を開示するいくつかの特許公報が存在する（特許文献１〜１６）。
【０００５】
特許文献１〜１６のうち、本発明に最も近い先行技術は以下のものである。
【０００６】
特許文献１１は、愛玩動物の毛皮からノミを除去することを目的とした真空掃除機のマウスピースを開示しており、このマウスピースは真空に接続され得る。このマウスピースは比較的扁平で幅広い開口部を有しており、櫛の歯が開口部の前部を覆うようにこの開口部の前に櫛を固定してもよい。開口部の内部には小室が設けられており、その小室内に中からノミが逃げ出せないようなフィルタ・バッグが設置されてもよい。
【０００７】
特許文献１５は人間のシラミの駆除を開示する。ここでは真空に接続可能なマウスピースが開示されている。マウスピースは扁平な開口部を有し、開口部の前に櫛が固定される。この櫛の歯は開口部を完全に覆い、開口部の下部縁端から突出する。
【０００８】
上記特許文献１１、１５はどちらも、より大きな効率を達成するため、従来の梳毛に真空を供給することに関連している。目の細かい櫛による梳毛一般、特に吸引を条件とする目の細かい櫛による梳毛の主要な問題の一つは毛髪が縺れる傾向にあることである。この傾向は毛髪の長さ及び吸引力に伴って増大する。
【０００９】
長い縺れた毛髪を目の細かい櫛で梳くことは非常に面倒で実際には実行不可能な解決法であるため、長い毛髪を梳く場合にはこの問題を解決する必要がある。同時に吸引を行う場合、毛髪が縺れてしまって梳くことは完全に不可能になる。吸引の支援による梳毛をシラミ及び害虫を除去する場合に使用可能な方法とするためには、シラミ及び害虫が主として長い毛髪で問題となるものである以上、この問題の解決を前提としなければならない。
【００１０】
梳毛の際長い毛髪が吸引される方向に曲げられる場合、毛髪を吸い込まないレベルまで吸引力を下げないと毛髪はすぐに縺れてしまうが、吸引力を下げることはシラミ及び他の害虫を除去することに関しては非効率的となる。
【００１１】
特許文献１１及び特許文献１５はこの毛髪が縺れるという問題を考慮していない。
【００１２】
特許文献１６は、真空発生源に接続されたマウスピースを使用することによる人間のシラミの駆除を説明する。マウスピースは端部の閉じた円形のチューブの形状であり、開口部は長手方向の細長い楕円形のスロットである。櫛の歯またはブラシの列がこの開口部の両側面に隣接して配置される。このスロット開口部は細かい網で覆われており、吸引スロットの背後の別の横向きのスロットに、フィルタが挿入され得る。
【００１３】
特許文献１６では、吸引開口部を覆う細かい網によって上記の問題に対処している。これは毛髪の縺れの問題を部分的には解決するものの、この発明によって提供される解決法では効率的な吸引力を達成することは困難であるが、これは、シラミ及び害虫を毛髪の厚い層を通じて吸引しなければならないのと同時に、開口部に櫛の歯／ブラシを配置したため吸引力が大きく損なわれるためであり、この時毛髪は毛髪同士、また上述の細かい網を通じて緊密に縺れているので、細かい網は絶えず綿毛や抜け毛を清掃しなければならない。マウスピースの内部にフィルタがあることも吸引力の損失を意味している。
【００１４】
シラミは非常に強固にしがみついているので、強い吸引力が必要である。通常の真空掃除機からの吸引力を斑点状のシラミに向けて、頭皮を吸引開口部内へと著しく隆起させるような場合、このシラミを取り除くまで繰り返して機械的干渉を加える必要がある。ここで言及する吸引力を直接頭皮に加えるとすれば、毛髪は広い範囲で吸引力に捕えられ引っ張られて櫛に当たって曲がるので、頭髪の縺れの問題が発生する。
【００１５】
特許文献１７は、シラミ及びノミを除去する目的で毛髪及び毛皮を梳くために使用される吸引マウスピースを開示している。このマウスピースは、マウスピースの開口部に対して所定角度を成すよう配置された脱着式の櫛を具備する。このマウスピースは急な湾曲部を有し、湾曲部の気流方向下流では、マウスピースは、マウスピースの気流断面の大部分を占める球形狭窄要素の形態の狭窄要素を含んでいる。狭窄要素の背後では、ホースへの移行部に接続されて、フィルタが提供される。
【００１６】
特許文献１７で説明された発明は、使用中、動物の毛皮に係合する櫛が見えない点で不適当である。マウスピースを動物の身体にぴったり合わせることによって、マウスピース内に強い陰圧が発生することがあるが、これは不快なことがあるため、圧力を開放できるようにマウスピース内に弁が提供されている。弁が開くと球形狭窄要素と相互作用してマウスピース内の陰圧を低下させることができる。マウスピースの湾曲部と球形狭窄要素が提供されていることはそれぞれ、このマウスピースが人間の治療に適していないことを意味している。特に長い毛髪を有する人間の場合、毛髪は湾曲部で完全に縺れ、球形要素の周囲に絡まることは避けられない。人間を治療する上でのもう一つの重要な問題は不快な強い吸引力が存在することである。櫛が見えないため、治療を行う人物はほとんど手探りで作業を行うことになる。
【００１７】
シラミ駆除に関する目の細かい櫛による梳毛とシャンプー法の効率は、Ｒ．Ｊ．ロバーツ（R. J. Roberts）、Ｄ．ケーシー（D. Casey）、Ｄ．Ａ．モーガン（D. A. Morgan）及びＭ．ペトロヴィック（M. Petrovic）によって詳細に調査されており、この調査は非特許文献１に発表されている。
【００１８】
この調査の結論によれば、目の細かい櫛とバルサムによる手法の回収率は約５０％であり、マラチオン・シャンプーの場合は約７８％である。しかし、試験を完了したのは患者の５０％に過ぎず、治療方法の効率に関する完全なイメージを得られるものとは言えない。明らかに、治療において大きな役割を果たす人的要因が存在する。
【００１９】
【特許文献１】米国特許第８７６７６６号明細書、１９０８年１月、ブレイズデル（Blaisdell）
【特許文献２】米国特許第９１８９２９号明細書、１９０９年４月、サーマン（Thurman）
【特許文献３】米国特許第１０１５８９４号明細書、１９１２年１月、ケラー（Keller）
【特許文献４】米国特許第１５２５１０６号明細書、１９２５年２月、スマイズ（Smythe）
【特許文献５】米国特許第１７７０７４９号明細書、１９３０年７月、エングバーグ（Engberg）他
【特許文献６】米国特許第１８５９１３２号明細書、１９３２年５月、フェクテンブルグ（Fechtenbrug）
【特許文献７】米国特許第２２７６８８６号明細書、１９４２年３月、スミス（Smith）
【特許文献８】米国特許第２７８０８２９号明細書、１９５７年２月、コーエン（Cohen）
【特許文献９】米国特許第２９５３８０８号明細書、１９６０年９月、カーマック（Carmack）
【特許文献１０】米国特許第４１９０９２４号明細書、１９８０年３月、ニコルソン（Nicholson）
【特許文献１１】米国特許第４４８５５８３号明細書、１９８４年１２月、プランティ（Planty）
【特許文献１２】米国特許第４７９９８６３号明細書、１９８９年１月、ガノン（Gannon）
【特許文献１３】米国特許第５０７４００６号明細書、１９９１年１２月、エレミタ（Eremita）
【特許文献１４】米国特許第５５０２８７３号明細書、１９９６年４月、ホーガン（Hogan）
【特許文献１５】米国特許第６０８６６８２号明細書、２０００年７月、アンダーソン（Anderson）
【特許文献１６】欧州特許出願公開第１０３６５２２号明細書
【特許文献１７】米国特許第５７６８７４８号明細書
【非特許文献１】「英国におけるアタマジラミ治療のための湿式梳毛とマラチオンとの比較、実際的な無作為抽出試験（Comparison of Wet Combing with Malathion for Treatment of Head Lice in the UK: a Pragmatic Randomised Controlled Trial）」、ランセット（The Lancet）誌（医学雑誌）、２０００年８月１２日
【発明の開示】
【発明が解決しようとする課題】
【００２０】
本発明の目的は、方法と装置の使用とがシラミ及び他の害虫及びフケを除去する迅速かつ簡便で効率１００％の方法となるように目の細かい櫛による梳毛を改良し、適切な装置を提供することにある。本発明の別の目的は、シラミがある程度の耐性を獲得した有毒成分を含むシャンプー、及びデンマーク国家保健委員会が医師の指示がない場合に妊娠中の女性と３歳までの幼児の使用に反対しているシャンプーの使用を回避することにある。
【課題を解決するための手段】
【００２１】
上記課題は、マウスピースが長手方向の傾斜した開口部を有し、櫛が開口部の最前部に固定されてマウスピースの長手軸線に対して急峻な角度を有し、櫛がマウスピースの開口部の小さな部分を覆い、毛髪の束を開口部内に吸い込み、それによってその毛髪の束がマウスピース内で宙吊りになって延び、毛髪の成長する頭皮または皮膚に櫛の歯先の縁端が接触するよう櫛を毛髪の束側に傾斜させ、歯の縁端を頭皮または皮膚に接触させて毛髪の束を通じて櫛を引っ張ることによって毛髪の束を梳き、その後櫛を毛髪の束から離れるように傾斜させ、毛髪の束について上記のステップを含む処理を繰り返し、不要発生物を取り除いてマウスピースを通じて吸引し、その後マウスピース内のフィルタによって捕える方法によって解決される。
【００２２】
ここで達成されることによれば、シラミ、フケ及び害虫が櫛から毛髪または環境中に落ちて、そこからシラミ及び害虫が生息範囲に戻るということはない。孵化したばかりのシラミ、すなわち若虫は、目の細かい櫛で捕えることがほとんど不可能であるが、本発明では容易に捕えられる。シラミ及び害虫を櫛で捕え、毛髪の全長に沿って毛髪から梳き出さなければならないということはない。本発明は、治療時間が半分以下になると同時に効率が２倍以上になることを示す。注意深い体系的治療によって、効率は１００％まで改善される。シラミ及び害虫を捕えた時の櫛の清掃は本発明では自動的かつ連続的に行われる。目の細かい櫛による従来の治療方法の不規則な要素は本発明によって回避される。同時に、治療中の毛髪の縺れの問題も解決される。シャンプーによる治療と比較して、治療時間は短くなり、治療ははるかに快適で同時にはるかに高効率となる。毒物を使用しない治療であるため毒物汚染の危険が除去され、同時に治療を行う際の環境影響を小さくすることができる。また、より安価な治療方法が実現される。
【００２３】
有利には、異なる毛髪の束について本方法を繰り返して処理を完了してもよい。ここでは、人間または動物を有効に清潔にすることができる。
【００２４】
有利には、櫛は短いストロークで梳くのと同時に前記束に近付けたり離したりして自由に傾斜させてもよく、各梳毛運動の際にシラミ及び害虫の生息範囲を通して頭皮の上で歯先の縁端を引っ張り、頭皮の同じ範囲を短い間隔で梳くようにする。ここで達成されることによれば、強い吸引作用の元で繰り返し干渉を受けることによってシラミは強固にしがみついていることが困難になり、２〜４回の梳毛によってシラミは最終的に取り除かれる。
【００２５】
また、本発明は、毛髪及び毛皮における不要発生物を除去する装置であって、マウスピースがほぼ細長い形状を有し、マウスピースの開口部が長手方向に傾斜して配置されてマウスピースの長手軸線に対する第一の角度を形成し、櫛がマウスピースの長手軸線に対する第二の角度を形成するよう配置され、櫛がマウスピースの開口部の半分より小さい範囲を覆う装置に関する。
【００２６】
ここで達成されることによれば、毛髪は装置内に吸引され、毛髪が十分長い場合にはさらに、真空発生源、例えば真空掃除機の接続パイプ及びホース内に吸引されるが、その際、本発明によれば、毛髪は真っ直ぐに吸引され真空中で真っ直ぐに浮遊するので、原理上ホースの長さがすぐに治療可能な毛髪の長さを制限することになる。シラミ及び害虫を駆除することが非常に困難な特に長い毛髪を含む毛髪は櫛の下でマウスピース内に吸引可能なので、毛髪は吸引によって真っ直ぐかつ柔軟に保持されることが達成され、毛髪に手がかりができるので、梳毛の際に毛髪が縺れることはない。梳毛のストロークが常に毛髪の端部で終わるように櫛を毛髪の全長にわたって引っ張る必要がなくなるため、上記の毛髪中の手がかりは、この手法に新しい梳毛方法を提供する可能性を開くものである。これまで提供されていた処理では、シラミ及び害虫を有効に除去するだけの力で同時に吸引する場合に毛髪が縺れることはほとんど避けられなかった。本発明では、シラミ及び害虫が生息するまさにその場所ではるかに効率的、迅速かつリズミカルに頭皮を梳くことが可能である。本発明では、毛髪が縺れたり過剰に静電気を帯びたりしないような形で毛髪中に手がかりが存在するので、櫛を毛髪から離したり近付けたりして自由に傾斜させてよい。従って、櫛が短い間隔で頭皮の同じ範囲に戻るように、短いストロークで梳毛を行ってもよい。特にシラミは、前述したように、直接櫛で梳かれても強固にしがみついていることがあるが、同時に非常に強い吸引作用の影響下に置かれる場合、強い吸引作用の元で繰り返し干渉を受けることによってシラミはしがみついていることが困難になり、２〜４回の梳毛によってシラミは最終的に取り除かれるので、このことは治療の効率にとって大きな意義を有する。すなわち、梳毛の間に落ち着く時間をシラミに与えないということが重要である。本発明によれば、毛髪は吸引によって「広がって」いるので、シラミ、害虫及びフケは取り除かれただけでも妨げられることなく運び去られ、さらに、個々の毛が吸引によって膨らみ広がっている場合、はるかに容易に取り除かれる。また、吸引によって毛髪はパイプまたはホース内の気流の中ではためくようになる。毛髪がはためくということは、個々の毛が互いに衝突するということを意味する。これは、吸引によって捕えられたシラミまたはノミが毛髪中に落ち着き、その後治療された人の頭皮に戻る機会を得ることを妨げる。毛髪のはためきによって櫛の歯が振動することもあるが、振動する歯はシラミにさらにストレスを与え、シラミがより早く生息範囲から去るようになるので、治療の効率が増大する。
【００２７】
櫛の歯先の縁端の下の開口部は後方へ傾斜してもよい。ここで達成されることによれば、梳毛を行う場合、真空掃除機の吸引力全体は比較的小さな櫛の歯の間の隙間に最適に集中しており、さらに達成されたことによれば、櫛は従来通りシラミ及び害虫を捕えるだけでなく、後で吸引によってシラミ及び害虫を除去するように、吸引作用と共同でシラミ及び害虫を十分に梳く働きをする。
【００２８】
有利には、この装置は、縁端にいくつかのスリットがある円錐の形状を有するフィルタを有し、フィルタは、フィルタの縁端が真空接続チューブの縁端に沿って曲げられるように真空発生源の接続チューブの開口部に配置され、フィルタは、マウスピースを装着した時にマウスピースの接続チューブによって保持され、且つ接続チューブを分離した時にマウスピースの接続チューブ内に視認可能なので先端から容易に取り外せる。ここで達成されることによれば、毛髪から除去されたものは全てフィルタによって捕えられる。治療の後に直接結果を見ることができ、何か生体があれば廃棄できるので、新たな感染の広がりが避けられる。
【００２９】
この装置は開口部を有するマウスピースとして形成してもよいが、この場合マウスピースは容易に脱着可能な櫛を含んでもよく、櫛は開口部内の一番上に配置してもよく、その場合櫛は開口部の全面積のうち比較的小さな範囲を覆い、マウスピースは櫛の下に比較的大きく開いた開口部を呈する。ここでは交換式の櫛が提供されるが、これは多くの人を治療する場合、櫛が交換式でないと、次の人のために使用する前に櫛をいちいち清掃しなければならないため、有利なことがある。
【００３０】
開口部は前方から見て事実上円形でもよく、櫛は開口部の隣接する縁端に密接に嵌合し、装置の長手軸線にほぼ垂直な平面上で延びる。ここで達成されることによれば、櫛は吸引方向を横切るように配置され、歯先は装置内に吸引される毛髪の束に対して相対的に垂直になる。ここでは、梳毛の際の櫛の使用は容易になる。
【００３１】
開口部は歯先の縁端から後方向下方に傾斜してもよい。それによって櫛の下方に自由な範囲が得られるので、櫛を使用して頭皮に近い毛髪を梳くことができる。
【００３２】
開口部の両側に、マウスピースは隆起を有してもよく、この隆起は傾斜軸を提供すると同時に梳毛のための支持体を形成する。
【００３３】
この装置は、装置に関連して提供されて容易に脱着可能に取り付けられた第一のフィルタを含んでもよく、フィルタは縁端に沿ったスリットのある円錐として成形される。ここで達成されることによれば、最終治療の後廃棄可能な使い捨てフィルタを使用してもよい。
【００３４】
本発明による装置は、もう一つの他のフィルタに対して上流に配置される更なるフィルタを備えてもよく、この更なるフィルタは容易に脱着可能で、円錐形状で、底部に穴を備える。ここでは脱着式フィルタを保持する永続的フィルタが実現され、交換式フィルタを、下にある支持フィルタによって支持された薄くて安価なフィルタとすることが可能である。
【００３５】
フィルタの別の実施形態では、フィルタはチューブとパイプとの間の移行部に配置してもよく、この移行部はロック解除後にフィルタへのアクセスを提供するロック機構によって形成され、フィルタは、パイプの内壁と相互作用し且つフィルタによって形成される底部を有するフィルタ・シリンダによって形成される。ここで達成されることによれば、フィルタは構成要素間の既存の接合部に関連して配置され、フィルタは容易に交換可能な挿入物を形成する。使用後、フィルタ底部は治療の結果得られた捕獲物を収容する。捕獲物はシラミ、ノミ及びフケからなると言ってよい。
【００３６】
有利には、フィルタの背後に陰圧が存在する時にフィルタをカバーによって閉じてもよく、このカバーは末端部とシリンダとを有し、カバーのシリンダはフィルタのシリンダの内壁と係合する。ここでは、ノミを有効に閉じ込めることができ、逃がす可能性は一切ない。カバーがない場合、特にネコノミは非常に敏捷に逃げることがある。
【００３７】
末端部はフィルタの内容物を見るレンズによって形成してもよく、レンズの焦点はカバーのシリンダを幾分押して調整してもよい。ここでは、治療中に捕えた害虫またはフケを見る適切な補助器具が実現される。
【００３８】
レンズの可能な実施形態はレンズをフレネルレンズとして形成するものである。こうして、三角形の溝によって光の屈折を発生させる薄くて平坦なレンズが実現される。
【発明を実施するための最良の形態】
【００３９】
以下、添付の図面を参照して本発明を詳細に説明する。
図１は、真空に接続されたマウスピース１による治療中の人を示し、マウスピースは、マウスピース１に嵌合した容易に脱着可能な櫛２を含む。マウスピースは、可撓性の真空掃除機ホース３と流通して可撓性の接続チューブ４に至り、接続チューブ４は、真空掃除機６に接続された所定角度の通常の真空掃除機パイプ５に接続される。
【００４０】
梳毛の際、真空中で真っ直ぐかつ緊密に保持された毛髪７の房を真空によってマウスピース１内に吸引する一方で、マウスピース１は櫛２によって毛髪と頭皮を梳き、繰り返し梳くことによってシラミ及びフケを毛髪から離れさせる。
【００４１】
図２は、マウスピース２１内に脱着式に取付可能な櫛２２を備えるマウスピース２１を伴う本発明の詳細図を示し、マウスピース２１は、真空掃除機または他の真空発生源の接続パイプ２５にさらに接続される接続スタブ２４を備える可撓性のホースまたはチューブ２３に接続されている。
【００４２】
図３は、本発明の可能な実施形態を詳細に示す。マウスピース３１は櫛３２を収容する。マウスピース３１はホース３３に接続され、ホース３３は反対側で円錐形のパイプ・スタブ３４と接続されて接続手段３５によって真空掃除機と接続され、接続手段３５は雌ねじを有するように形成されてもよい。櫛３２は、マウスピース３１の両側で傾斜軸の役目を果たす支持体及び隆起３９によって取り囲まれた歯先を有する。
【００４３】
図４は、櫛３２及び支持体及び隆起／傾斜軸３９と共に前面から見た図３の実施形態を示す。
【００４４】
図５はマウスピース３１から取り外された櫛３２を示す。
【００４５】
図６〜図１３は、６つの機能段階にあるフィルタ４１の可能な実施形態を示す。
【００４６】
図６は、フィルタ４１が真空接続チューブ４５内に配置される形態を示す。フィルタ４１はスリット４２を有するように製造される。
【００４７】
図７は、円錐形の接続スタブを有する接続チューブ４７内で真空に嵌合するフィルタを示す。
【００４８】
図８は、チューブを入れ子式に嵌め込む際にスリット４２でフィルタ４１が折り返されてフィルタ４１の折り目が発生することを示す。
【００４９】
図９は、真空接続チューブ４５上で下向きに摺動して、気流中の粒子／害虫４６を収集できるように気流の方向４３にフィルタ４１を固定する円錐形のチューブ４７を示す。収集されたシラミまたは他の粒子を４８として示す。
【００５０】
図１０は、マウスピースの接続スタブ上に配置されたフィルタ４１を取り外すため分離したチューブを示す。
【００５１】
図１１は、この状態で視認可能な先端４９を掴んでフィルタ４１を取り外す様子を示す。
【００５２】
図１２は、使用後のフィルタ４１の斜視図を示す。
【００５３】
図１３は、底部５３に穴が開いていてトラップ５４として作用する内部フィルタ５２を有するフィルタ５１の可能な形態を示す。これによってノミフィルタ５５が得られる。
【００５４】
図１４は、櫛６２が両側で支持体／傾斜軸６９によって取り囲まれた装飾マウスピース６１を有する本発明の可能な形態を側面から見たものを示しており、マウスピース６１はマウスピース６１内の櫛６２のための装飾用の目／取付け部６３を有する。マウスピースは真空に接続する接続部６４を有する。
【００５５】
図１５は、櫛６２及び支持体／傾斜軸６９と共に前面から見た図１４のマウスピースを示す。
【００５６】
図１６は、マウスピース６１から分離された櫛６２を示す。
【００５７】
図１７は、図１４及び図１５に示す実施形態の斜視図を示す。
【００５８】
図１８は、装飾用の目を備えた櫛取付け部７３内に設置された櫛７２を有するマウスピース７１の可能な実施形態の断面図を示しており、可撓性のチューブ７５がマウスピース７１内に示されている。可撓性のチューブ７５は、開口部とは反対側に可撓性のチューブの端部に設置されたフィルタ７８を収容し、可撓性のチューブは、クリップ７７によってフィルタを固定する折り目／フランジ／縁端７４を含むリング７６を有する。
【００５９】
図１９は、クリップ７７によってフィルタ７８を固定する内部フランジ７６を伴うリング７６を有する可撓性のチューブ７５を示す。ここでは、真空掃除機の接続チューブ内に内部設置するための別のフィルタが実現される。
【００６０】
図２０は、櫛取付け部１０６によって櫛１０４が固定されたマウスピース１０２からなるシラミ取り器１００の別の実施形態を示す。櫛１０４はマウスピース１０２内の開口部１０８の一部を覆う。マウスピースの開口部は開口部１０８の開いた部分を取り囲む傾斜した壁１１０を有し、一方壁１１２は、マウスピース１０２に対する第２の角度で、シラミ取り器の前面のうち櫛１０４が取り付けられる部分を取り囲む。マウスピース１０２はフランジ１１４を終端とし、そこにホース１１６が固定される。ホース１１６は接続部１１８によってロック部品に繋止され、ロック部品はロック１２２を備える接続部１２０と相互作用する。接続部１２０は通常の真空掃除機の接続チューブ１２４と相互作用する。
【００６１】
図２１には接続部１１８と接続部１２０との詳細図を示すが、これらは分解された状態で示されており、フィルタが開口１３４を有する位置において、フィルタ薄膜１３１とシリンダ１３２とから成る内部に配置されたフィルタ１３０へのアクセスが提供される。動作中、フィルタ１３０は接続部１２０の内部に提供される。
【００６２】
図２２は、壁１３２と開口１３４とを有するフィルタ１３０を示す。フィルタの上には、レンズ１４０の形態の末端部を有する透明なシリンダ１２８からなるフィルタ・カバーが示される。
【００６３】
フィルタを接続部１２０から取り外した時は、透明な壁１３８とレンズ１４０とを有するカバーをフィルタの開口１３４の内部に配置し、獲得したシラミまたはノミがレンズ１４０を通じて見えるようにしてもよい。カバー１３８をフィルタの中に押し込む深さによってレンズ１４０の焦点が定められる。
【００６４】
図２３も、壁１３０と開口１３４とからなるフィルタの実施形態を示すが、ここでは開口１３４は透明な壁１３８とレンズ１４０とからなるカバーによって閉じられる。
【００６５】
図２４は、壁１３８とレンズ１４０とを有するフィルタ・カバーと共にフィルタ底部１３１と壁１３２とからなるフィルタを示す。フィルタの内部には、治療によって得られる捕獲物の概要が描かれているが、捕獲物は恐らく、シラミ、ノミ、及びフケまたは、毛髪に至る他の異質な動物または粒子からなる。
【００６６】
本発明は毛髪が短い場合でも長い場合でも、シラミ及び害虫を迅速かつ１００％の効率で除去することができる。治療は不快ではない。正しく行えば、治療は快適で冷たい頭皮のマッサージであると言ってよい。
【００６７】
この治療は、毛髪中ですでに浮いた状態にあるフケと、櫛で頭皮を徹底的にマッサージすることによって頭皮から離れるフケとの両方を除去するのにも適している。治療後少なくとも３〜４日間は毛髪に再びフケが出ることはない。この治療はフケによって発生する頭皮の痒みを一時的に除去する。
【００６８】
フィルタは、心理的・実際的両方の意味で、治療の結果を容易に見られるようにする。実際的な意味とはシラミに関するものであるが、これはシラミには４つのサイズがあるためである。シラミの外殻は成長できないので、シラミはその一生の間に３回脱皮する。最も大きなシラミ（体長約３ｍｍ）だけが卵を産むが、これは１日に５〜８個の卵を産む。大きなシラミを捕えた場合、このことは当然毛髪中に卵が存在することを意味するので、６〜９日後に卵が孵化する時の再度の治療と、その後の簡単な検査治療を予定しなければならない。徹底的な治療の後大きなシラミが見つからなければ、毛髪はほぼ清潔になっていると考えられ、簡単な事後検査によって治療を終了してよい。シラミが見つからなければ、シラミの被害は恐らく終わっていると思われる。フィルタによって迅速かつ効率的なシラミの検査が可能なので、シラミが見つかったら、すぐに徹底的な治療を行えばよい。
【図１】
2005512749.tif 000003
【図２】
2005512749.tif 000004
【図３】
2005512749.tif 000005
【図４】
2005512749.tif 000006
【図５】
2005512749.tif 000007
【図６】
2005512749.tif 000008
【図７】
2005512749.tif 000009
【図８】
2005512749.tif 000010
【図９】
2005512749.tif 000011
【図１０】
2005512749.tif 000012
【図１１】
2005512749.tif 000013
【図１２】
2005512749.tif 000014
【図１３】
2005512749.tif 000015
【図１４】
2005512749.tif 000016
【図１５】
2005512749.tif 000017
【図１６】
2005512749.tif 000018
【図１７】
2005512749.tif 000019
【図１８】
2005512749.tif 000020
【図１９】
2005512749.tif 000021
【図２０】
2005512749.tif 000022
【図２１】
2005512749.tif 000023
【図２２】
2005512749.tif 000024
【図２３】
2005512749.tif 000025
【図２４】
2005512749.tif 000026
【国際調査報告】
2005512749.tif 000027
2005512749.tif 000028